(57)【特許請求の範囲】
【請求項１】
遊技盤に形成される遊技領域への玉の打ち込みによって遊技を行う弾球遊技機において、
前記遊技盤には、可変表示を行った後に表示結果を導出する可変表示器と、該可変表示器の表示部の外周部分を装飾する装飾部材と、玉の通過検出に基づいて前記可変表示器の可変表示を許容する始動玉検出器と、を設け、
前記装飾部材には、前記遊技領域内で玉を所定位置へ誘導する第１玉通路及び第２玉通路を少なくとも含む複数の玉通路と、前記可変表示器の下部側に設けられて前記第２玉通路から誘導された玉を転動させた後に玉排出部から前記始動玉検出器に向けて放出する玉転動部と、を備え、
前記第１玉通路の玉出口と前記第２玉通路の玉入口との間に位置する前記遊技領域に障害釘を設け、
前記第１玉通路から誘導された玉は、一旦前記障害釘を設けた遊技領域内に放出され、その後前記第２玉通路の玉入口に流入し、前記第１玉通路から誘導されずに前記障害釘が設けられた遊技領域へ流入する玉は、前記障害釘により振り分けられて一部が前記第２玉通路の玉入口に流入することを特徴とする弾球遊技機。
【請求項２】
遊技盤に形成される遊技領域への玉の打ち込みによって遊技を行う弾球遊技機において、
前記遊技盤には、可変表示を行った後に表示結果を導出する可変表示器と、該可変表示器の表示部の外周部分を装飾する装飾部材と、玉の通過検出に基づいて前記可変表示器の可変表示を許容する始動玉検出器と、を設け、
前記装飾部材には、前記遊技領域内で玉を所定位置へ誘導する第１玉通路及び第２玉通路を少なくとも含む複数の玉通路と、前記可変表示器の下部側に設けられて前記第２玉通路から誘導された玉を転動させた後に玉排出部から前記始動玉検出器に向けて放出する玉転動部と、を備え、
前記第１玉通路の玉出口と前記第２玉通路の玉入口との間に位置する前記遊技領域に障害釘を設け、
前記第１玉通路から誘導された玉は、一旦前記障害釘を設けた遊技領域内に放出され、その後前記障害釘に振り分けられた一部が前記第２玉通路の玉入口に流入し、前記障害釘に振り分けられた残りは前記第２玉通路の玉入口以外の遊技領域に放出されることを特徴とする弾球遊技機。
【請求項３】
前記可変表示器の表示動作を制御する表示制御基板と、前記遊技盤の裏面に取り付けられる裏カバー体と、前記表示制御基板を被覆する表示制御基板被覆体と、前記可変表示器を取り付けるための表示器取付部材と、を備え、
前記可変表示器、前記表示制御基板、前記表示制御基板被覆体、及び前記表示器取付部材を一体的に組み付けた可変表示ユニットとして構成し、該可変表示ユニットを前記裏カバー体の裏面側から取り付ける一方、前記装飾部材を前記遊技盤の前面側から取り付ける構成としたことを特徴とする請求項１又は請求項２に記載の弾球遊技機。
【請求項４】
発光体の光を透光するレンズ部材を備え、前記第１玉通路を形成する両側壁のうち少なくとも一方の側壁を前記レンズ部材で構成したことを特徴とする請求項１乃至請求項３のいずれかに記載の弾球遊技機。
【請求項５】
前記第１玉通路は、遊技者との対向側に通路壁が設けられていないことを特徴とする請求項１乃至請求項４のいずれかに記載の弾球遊技機。
【請求項６】
前記第２玉通路には、該第２玉通路内を通過する玉の速度を減速するための減速手段を設けたことを特徴とする請求項１乃至請求項５のいずれかに記載の弾球遊技機。
【請求項７】
前記第１玉通路及び前記第２玉通路は、それぞれ玉１個分の通路幅に形成されていることを特徴とする請求項１乃至請求項６のいずれかに記載の弾球遊技機。
【発明の詳細な説明】
【０００１】
【発明の属する技術分野】
本発明は、遊技盤に形成される遊技領域への玉の打ち込みによって遊技を行う弾球遊技機に関するものである。
【０００２】
【従来の技術】
従来、一般に、弾球遊技機には、遊技領域を流下する玉をワープ入口（玉入口）から受け入れ、その玉を誘導してワープ出口（玉出口）から再度遊技領域の所定位置に排出するワープ通路（玉通路）を備えたものが提案されていた。例えば、ＣＲＴ等からなる大型の可変表示器を遊技領域のほぼ中央に設けた弾球遊技機では、打ち込んだ打玉が可変表示器に阻まれて、遊技領域の中央部下側に流れ難いので、ワープ通路を設けて打玉を遊技領域の中央部下側に誘導するようになっていた。
【０００３】
【発明が解決しようとする課題】
ところで、上記従来のワープ通路は、遊技領域に打ち込まれた打玉がそのまま遊技領域を落下し、これがワープ入口に入るか否かの一通りしかなかった。このため、ワープ入口から離れた位置で落下する玉は、既にその時点でワープ入口に入る（玉をワープ通路で誘導する）可能性がなくなっていた。本発明は、上記した事情に鑑みなされたもので、その目的とするところは、玉通路（ワープ通路）に関わる玉の流下経路を複数通りに設定することで、遊技の興趣向上を招来することができる弾球遊技機を提供することにある。
【０００４】
【課題を解決するための手段】
上記目的を達成するために、請求項１の発明においては、遊技盤に形成される遊技領域への玉の打ち込みによって遊技を行う弾球遊技機において、前記遊技盤には、可変表示を行った後に表示結果を導出する可変表示器と、該可変表示器の表示部の外周部分を装飾する装飾部材と、玉の通過検出に基づいて前記可変表示器の可変表示を許容する始動玉検出器と、を設け、前記装飾部材には、前記遊技領域内で玉を所定位置へ誘導する第１玉通路及び第２玉通路を少なくとも含む複数の玉通路と、前記可変表示器の下部側に設けられて前記第２玉通路から誘導された玉を転動させた後に玉排出部から前記始動玉検出器に向けて放出する玉転動部と、を備え、前記第１玉通路の玉出口と前記第２玉通路の玉入口との間に位置する前記遊技領域に障害釘を設け、前記第１玉通路から誘導された玉は、一旦前記障害釘を設けた遊技領域内に放出され、その後前記第２玉通路の玉入口に流入し、前記第１玉通路から誘導されずに前記障害釘が設けられた遊技領域へ流入する玉は、前記障害釘により振り分けられて一部が前記第２玉通路の玉入口に流入することを特徴とする。このように構成することにより、第２玉通路の玉入口に誘導される玉の経路を複数通りに設定することができ、ひいては遊技の興趣向上を招来することができる。
【０００５】
また、請求項２の発明においては、遊技盤に形成される遊技領域への玉の打ち込みによって遊技を行う弾球遊技機において、前記遊技盤には、可変表示を行った後に表示結果を導出する可変表示器と、該可変表示器の表示部の外周部分を装飾する装飾部材と、玉の通過検出に基づいて前記可変表示器の可変表示を許容する始動玉検出器と、を設け、前記装飾部材には、前記遊技領域内で玉を所定位置へ誘導する第１玉通路及び第２玉通路を少なくとも含む複数の玉通路と、前記可変表示器の下部側に設けられて前記第２玉通路から誘導された玉を転動させた後に玉排出部から前記始動玉検出器に向けて放出する玉転動部と、を備え、前記第１玉通路の玉出口と前記第２玉通路の玉入口との間に位置する前記遊技領域に障害釘を設け、前記第１玉通路から誘導された玉は、一旦前記障害釘を設けた遊技領域内に放出され、その後前記障害釘に振り分けられた一部が前記第２玉通路の玉入口に流入し、前記障害釘に振り分けられた残りは前記第２玉通路の玉入口以外の遊技領域に放出されることを特徴とする。このように構成することにより、第１玉通路を通過した玉の流下経路を複数通りに設定することができ、ひいては遊技の興趣向上を招来することができる。
【０００６】
また、請求項２の発明においては、前記第１玉通路から誘導された玉は、一旦前記障害釘を設けた遊技領域内に放出され、その後前記障害釘に振り分けられた一部が前記第２玉通路の玉入口に流入することにより、第１玉通路を通過した玉の流下経路を複数通りに設定することができ、ひいては遊技の興趣向上を招来することができる。
【０００７】
また、請求項１，２の発明においては、前記第２玉通路を前記装飾部材に設けたことにより、遊技者が最も注視する可変表示器においてその外周部分で第２玉通路による玉誘導を行う構成にできるので、第２玉通路での玉の流れを分り易くできる。
【０００８】
また、請求項１，２の発明においては、第２玉通路と同様に、可変表示器の外周部分で第１玉通路による玉誘導を行う構成にできるので、第１玉通路での玉の流れを分り易くできる。また、この構成によれば、装飾部材を取り付けるだけの作業で第１玉通路と第２玉通路の取り付けも同時に行える。
【０００９】
【００１０】
また、請求項３の発明においては、前記可変表示器の表示動作を制御する表示制御基板と、前記遊技盤の裏面に取り付けられる裏カバー体と、前記表示制御基板を被覆する表示制御基板被覆体と、前記可変表示器を取り付けるための表示器取付部材と、を備え、前記可変表示器、前記表示制御基板、前記表示制御基板被覆体、及び前記表示器取付部材を一体的に組み付けた可変表示ユニットとして構成し、該可変表示ユニットを前記裏カバー体の裏面側から取り付ける一方、前記装飾部材を前記遊技盤の前面側から取り付ける構成としたことを特徴とする。このように構成することにより、可変表示器を取り外す場合でも、可変表示器、表示器取付部材、表示制御基板被覆体、及び表示制御基板は、可変表示ユニットとして一体的に裏カバー体に取り付けられるので、個々の部品を各々取り付ける構成と比べて組立作業性が向上する。
【００１１】
また、請求項１，２の発明においては、第２玉通路は、玉転動部に玉を誘導するように構成されているので、第２玉通路によって誘導された玉の流れにおける興趣を向上することができる。
【００１２】
また、請求項１，２の発明においては、玉転動部を転動した玉が始動玉検出器に誘導され易くなるので、第２玉通路によって誘導された玉の流れにおける興趣をより一層向上することができる。
【００１３】
また、請求項４の発明においては、発光体の光を透光するレンズ部材を備え、前記第１玉通路を形成する両側壁のうち少なくとも一方の側壁を前記レンズ部材で構成したことを特徴とする。このように構成することにより、第１玉通路の近傍を光装飾することができ、ひいては意匠性を向上することができる。
【００１４】
また、請求項５の発明においては、前記第１玉通路は、遊技者との対向側に通路壁が設けられていないことを特徴とする。このように構成することにより、第１玉通路を通過する玉の視認性を向上することができる。
【００１５】
また、請求項６の発明においては、前記第２玉通路には、該第２玉通路内を通過する玉の速度を減速するための減速手段を設けたことを特徴とする。このように構成することにより、第２玉通路を通過する玉の勢いを弱めることができ、ひいては第２玉通路の耐久性が向上できる。
【００１６】
また、請求項７の発明においては、前記第１玉通路及び前記第２玉通路は、それぞれ玉１個分の通路幅に形成されていることを特徴とする。このように構成することにより、第１及び第２の各玉通路内を玉が通過する場合、遊技者の視線をその１つの玉流れに集中させることができる。
【００１７】
また、請求項１，２の発明においては、前記第１玉通路の玉出口と前記第２玉通路の玉入口との間に位置する前記遊技領域に、障害釘を設けたことにより、障害釘の調整具合に応じて第１玉通路の玉出口から排出された玉が第２玉通路に流入する割合（第２玉通路への入球率）を調節することができる。
【００１８】
【発明の実施の形態】
以下、図面を参照して、本発明の実施形態について説明する。まず、図１乃至図４を参照して実施形態に係る弾球遊技機１の全体の構成について説明する。弾球遊技機１は、図１及び図３に示すように、縦長な方形状に枠組み形成される外枠２と、該外枠２の一側に開閉自在に軸支され且つ弾球遊技機１の主要構成部のほぼすべてが集約して設けられる前面枠３と、該前面枠３の前面上部に開閉自在に設けられる前面開閉枠４とから構成されている。また、前面枠３に設けられる主要構成部としては、上記した前面開閉枠４、遊技盤４０、上皿１９、下皿２７、灰皿２９、操作ハンドル３０、機構板１００、玉発射装置８７がある。また、図示の実施形態では、弾球遊技機１の側方に遊技者に遊技玉を貸し出すためのカードユニット装置３１が付設されている。
【００１９】
前面開閉枠４には、後述する遊技盤４０の遊技領域４１をほぼ透視し得る円形透視窓５が開設され、該円形透視窓５の裏面からガラス板が装着されている。また、前面開閉枠４の上側には、円形透視窓５の外周に沿って、装飾ランプ６〜８，９’，１０’が臨んでいる。この装飾ランプ６〜８，９’，１０’は、遊技状態に応じて点灯又は点滅されるものであり、特別の遊技状態の発生時や継続時を遊技者に報知すると共に遊技の雰囲気を盛り上げるものである。また、円形透視窓５の外周には、払い出すべく賞球が不足したこと（後述する玉切れスイッチ１１５が作動したとき）を報知する玉切れランプ９や、入賞玉の発生に基づいて所定個数の賞球が払い出されたことを報知する賞球ランプ１０（なお、賞球未払出分がある場合に報知する方式でもよい）が設けられ、更に、前面開閉枠４の上部左右に遊技の進行に応じた効果音を発生するスピーカ１２ａ，１２ｂが設けられている。なお、各ランプ６〜８，９，１０，９’，１０’の前方は、それぞれ透光性を有する赤色、緑色等のランプカバーで被覆されるようになっている。特に、玉切れランプ９の点灯を赤色発光で行い、賞球ランプ１０の点灯を緑色発光で行うことにより、遊技者に対して状況を報知するようになっている。また、スピーカ１２ａ，１２ｂの前面には、パンチメタル１１が取り付けられてスピーカ１２ａ，１２ｂから発生される音声を通すようになっている。また、スピーカ１２ａ，１２ｂの近傍（パンチメタル１１の裏面側）には、それぞれ光装飾用の装飾ＬＥＤ３７，３８が前面開閉枠４に取り付けられている。
【００２０】
次に、前面開閉枠４の下側に取り付けられる上皿１９の構成について説明すると、上皿１９は、複数の合成樹脂製部材を組合せた皿部材を固着することにより構成されている。上皿１９の開放側の上方には、玉抜き操作レバー２１が設けられている。この玉抜き操作レバー２１は、左右方向に移動可能に設けられ、スプリング（図示しない）の付勢力に抗して一方向に移動させることにより、上皿１９に貯留されていた玉を裏面側に形成される玉抜き路（図示しない）を流下させて下皿２７に誘導するものである。
【００２１】
上記した上皿１９について、さらに詳細に説明すると、上皿１９は、その上流側に形成される賞玉払出口２０から払い出された賞球を一旦貯留した後、発射位置に玉を供給するものである。また、上皿１９には、弾球遊技機１に隣接して設けられるカードユニット装置３１を介して遊技玉を借り受ける際に操作する操作部が設けられている。この操作部は、球貸スイッチ２４と返却スイッチ２５（共に図４に符号のみを記載）と表示ＬＥＤ（図示しない）が実装される残高表示基板２３からなり、該残高表示基板２３が上皿１９の上面に臨むように設けられている。また、上皿１９の開放側には、前面開閉枠４を前面枠３に対して施錠し且つ前面枠３を外枠２に対して施錠する施錠装置８４（図３参照）を操作するためのシリンダー錠２６が臨んでいる。
【００２２】
また、前面枠３の下部に取り付けられる下皿２７は、前記上皿１９から溢れた賞球であって余剰球通路（図示しない）を介して接続樋９３（図３参照）から排出される余剰の賞球を貯留するものであり、その下皿２７の前面壁には、玉抜き操作レバー２８がスライド可能に取り付けられるようになっている。この玉抜き操作レバー２８を操作することにより、下皿２７に貯留されていた賞球を下方に玉抜きして持ち運び可能な玉箱に移し替えることができる。また、下皿２７の左側には、灰皿２９が設けられ、右側には、操作ハンドル３０が設けられている。操作ハンドル３０は、図３に示す玉発射装置８７の発射装置電動機８８（ステッピングモータ）の駆動を一時的に停止させるための単発発射スイッチ９１及び遊技者が操作ハンドル３０を触れていることを検知するタッチセンサ（図示しない）を内蔵していると共に、弾発力を調節する指掛け部３０ａ（図１参照）を備えるものである。
【００２３】
一方、弾球遊技機１の背面には、図３に示すように、入賞玉の発生に基づいて所定個数の賞球を払い出すための各種の機構を装備した機構板１００が設けられると共に、前記操作ハンドル３０に対応する裏面には、発射装置電動機８８及び打球槌（図示しない）を有する玉発射装置８７が固着され、その玉発射装置８７の側方には、機構板１００の余剰球通路から流下してきた玉を前記下皿２７に誘導する接続樋９３が固着されている。上記した構成のうち、玉発射装置８７には、発射制御基板９０が付設されており、この発射制御基板９０によって玉発射装置８７が駆動制御されるようになっている。
【００２４】
以上で、弾球遊技機１の全体の概略構成を説明したが、以下、弾球遊技機１を構成する要素のうち、遊技盤４０と、機構板１００の詳細な構成について順次説明する。
【００２５】
まず、主に図２を参照して遊技盤４０について説明する。遊技盤４０は、前面枠３の裏面側に一体的に形成される遊技盤収納枠部（図示しない）に収容固定されるべく、ほぼ正方形状の合板により形成され、その表面には、円形うず巻き状に誘導レール４２が取り付けられ、該誘導レール４２の内側が遊技領域４１とされて発射された打玉が落下するものである。遊技領域４１には、図示の場合、可変表示器４４、特別可変入賞球装置４８、普通可変入賞球装置５８等が設けられると共に、単に打玉を入賞とする入賞口、打玉の流下方向，速度を変化せしめる風車又は多数の障害釘が設けられ、また、遊技領域４１の最下方には、いずれの入賞領域にも入賞しない打玉が取り込まれるアウト口６９が設けられている。
【００２６】
遊技領域４１の構成をその遊技動作に従ってより詳細に説明すると、遊技領域４１の中央よりやや上方の左右両側には、それぞれ通過玉検出器６１，６２が設けられている。この通過玉検出器６１，６２は、遊技領域４１を落下する打玉の通過を検出すると、その検出信号に基づいて可変表示器４４の上部側に設けられる左右一対のＬＥＤからなる普通図柄表示器６３を可変表示（点灯移動）して表示結果を導出する（左右いずれか一方のＬＥＤのみを点灯表示する）。しかして、普通図柄表示器６３の表示結果が予め定められた当りＬＥＤの点灯である場合に、普通可変入賞球装置５８が所定時間開放される。なお、普通図柄表示器６３の可変時間は、通常確率モードのときに相対的に長く（例えば、３０秒）、確率変動モードのときに相対的に短く（例えば、３〜５秒）設定されている。また、普通図柄表示器６３の上方には、普通図柄表示器６３の可変表示中に通過玉検出器６１，６２を通過した打玉数を記憶表示する普通図柄記憶ＬＥＤ６４（最高４個まで記憶表示する）が設けられている。また、通過玉検出器６１，６２は、それぞれ通過取付基板５３，５７を介して遊技盤４０の表面（遊技領域４１）に取り付けられるようになっており、通過取付基板５３，５７の下側部には、それぞれ通過玉検出器６１，６２を通過した玉を遊技領域４１の中央側に誘導する誘導通路５３ａ，５７ａが形成されている。
【００２７】
普通可変入賞球装置５８は、遊技領域４１のほぼ中央に配置される可変表示器４４と遊技領域４１の前記アウト口６９の上部に配置される特別可変入賞球装置４８との間に配置され、ソレノイド５９によって開閉駆動される電動チューリップタイプの可変入賞球装置である。そして、普通可変入賞球装置５８には、始動玉検出器６０が内蔵され、開放中又は閉成中に受け入れた入賞玉を検出するようになっている。しかして、打玉が始動玉検出器６０によって検出されると可変表示器４４が可変表示を開始する。なお、普通可変入賞球装置５８の開放時間は、通常確率モードのときに相対的に短く（例えば、０．５秒）、確率変動モードのときに相対的に長く（例えば、２秒）設定されている。また、普通可変入賞球装置５８が開放していない場合でも打玉を受け入れるようになっている。
【００２８】
可変表示器４４は、図２に示すように、左・中・右の各特別図柄を可変表示する画像表示部４４ａを有した液晶タイプの表示器であり、該画像表示部４４ａの前方外周には、縦長形状の窓枠部１６１が開設された表示部飾り部材１６０が設けられる。そして、可変表示器４４の変動停止時における図柄の組合せが予め定めた大当り図柄の組合せ（例えば、同一の図柄が当りラインのいずれかに揃った場合）である場合に、特定遊技状態となって特別可変入賞球装置４８を次に説明する所定の態様で開閉駆動するものである。ただし、大当り図柄の組合せの一部は、確率変動図柄として設定され、この確率変動図柄で特定遊技状態となったときには、その特定遊技状態終了後における前記普通図柄表示器６３における当り（当りＬＥＤの点灯）の出現確率や可変表示器４４における大当り図柄の出現確率が高くなる確率変動モードとなるように設定されている。また、可変表示器４４には、前述したような普通図柄表示器６３及び普通図柄記憶ＬＥＤ６４に加えて、画像表示部４４ａの外周部分を光装飾する飾りＬＥＤ４５ａ，４５ｂと、可変表示器４４の可変動作中に前記始動玉検出器６０によって検出された玉数を記憶表示する特別図柄始動記憶ＬＥＤ４６（最高４個まで記憶表示する）と、が設けられている。なお、表示部飾り部材１６０の構成については後で詳述するものである。
【００２９】
特定遊技状態となったときに駆動制御される特別可変入賞球装置４８は、ソレノイド５０によって開閉駆動される開閉板４９を有し、その開閉板４９に受け入れられた打玉を検出する入賞個数検出器５２が設けられている。また、特別可変入賞球装置４８内（開閉板４９の内側）には、打玉の検出（Ｖ入賞検出）に伴って特定遊技状態の継続権を成立させる特定玉検出器５１が設けられており、該特定玉検出器５１の上方には、一旦Ｖ入賞検出があると次に開閉板４９を開放するまでは打玉が特定玉検出器５１を通過しないようにするＶシャッター（図示しない）が設けられている。このＶシャッターは、ソレノイド４３によって開閉駆動が行われる。しかして、特定遊技状態となった場合には、一定時間（例えば、２８秒）が経過するまで又はその一定時間内に所定個数（例えば、１０個）の入賞玉が入賞するまで開閉板４９を開放（以下、この開放を開放サイクルという）し、その開放サイクル中に受け入れられた打玉が特定玉検出器５１によって検出されたときに継続権が成立して、再度上記した開放サイクルが実行され、各開放サイクルにおいて継続権が成立していることを条件に最高１６回の開放サイクルを繰り返すことができるようになっている。
【００３０】
以上説明した本実施形態において、打球が入賞する入賞口及び入賞装置には、入賞玉を検出するための信号が導出される入賞玉検出器５１，５２，５５ａ，５５ｂ，６５ａ，６５ｂがすべて設けられている。これは、これらの検出信号に基づいて所定個数の賞球を払い出すために使用されるものである。しかして、これらの入賞玉検出器５１，５２，５５ａ，５５ｂ，６５ａ，６５ｂは、図４に示すように、主基板１５１に接続されている。
【００３１】
遊技盤４０の遊技領域４１には、上記したようにスイッチやソレノイド、あるいは飾りランプや飾りＬＥＤ等の電気的部品が多数設けられるが、これらは、主基板１５１や電飾制御基板８０に接続されるようになっている。即ち、図４に示すように、遊技盤４０に設けられる各スイッチ５１，５２，５５ａ，５５ｂ，６５ａ，６５ｂ，６１，６２及び各ソレノイド４３，５０，５９は、主基板１５１に接続され、遊技盤４０に設けられる飾りランプ５６，６７ａ、遊技盤４０に設けられる飾りＬＥＤ４５ａ，４５ｂ、特別図柄始動記憶ＬＥＤ４６、普通図柄始動記憶ＬＥＤ６４は、電飾制御基板８０に接続されている。
【００３２】
一方、遊技盤４０の裏面には、図３に示すように、前記可変表示器４４（以下、これを特別図柄表示器ともいう）の裏面が突出して設けられている。この可変表示器４４の裏面部分には、表示制御基板７５が表示制御基板カバー７４に被覆されて取り付けられている。表示制御基板７５は、可変表示器４４の可変表示動作を主基板１５１からの情報信号の種類に応じて駆動制御するものである。
【００３３】
また、上記した可変表示器４４裏面の周囲には、カバー体７０が取り付けられ、このカバー体７０に連通するようにその下部に入賞玉誘導カバー体７１が取り付けられている。カバー体７０には、その中央に前記可変表示器４４の裏面が貫通する窓孔７２（図５参照）が形成されると共に、情報端子基板７８が取り付けられている。なお、カバー体７０は、窓孔７２の外周部分に穿設された取付穴１５３が遊技盤４０の裏面にビス止めされることで取り付けられる。情報端子基板７８は、弾球遊技機１の営業管理上必要な遊技情報（例えば、特定遊技状態中である旨を報知する大当り１情報、確率変動図柄で特定遊技状態となり、その特定遊技状態中及びその大当りによる確率変動中である旨を報知する大当り２情報（特定遊技状態中と確率変動中に出力され続ける信号）、確率変動図柄による特定遊技状態終了後の確率変動中である旨を報知する確率変動情報、始動玉検出器をＯＮした打玉の数を報知する始動口情報、特別図柄表示器４４の可変動作回数を報知する図柄確定回数１情報、普通可変表示装置の可変動作回数を報知する図柄確定回数２情報、及び普通可変入賞球装置の開閉回数を報知する役物回数情報）を遊技場に設置される管理コンピュータに出力するための外部接続端子を有し、これらの情報が主基板１５１から与えられるようになっている。
【００３４】
また、入賞玉誘導カバー体７１の後面側には、電飾制御基板８０及び効果音制御基板８２を収容する制御基板ボックス７９と、が取り付けられている。電飾制御基板８０は、図４に示すように、遊技盤４０の遊技領域４１（必ずしも遊技領域４１の内部に設けられなくてもよく、遊技盤４０に設けられていれば良い）に設けられる飾りランプや飾りＬＥＤ、及び前面枠３や前面開閉枠４に設けられる飾りランプや飾りＬＥＤ等を主基板１５１からの情報信号に応じて一括して駆動制御するものである。また、効果音制御基板８２は、前記スピーカ１２ａ，１２ｂを駆動制御するものであり、主基板１５１からの情報信号に応じて遊技内容に対応した効果音を発生させるものである。また、効果音制御基板８２には、音量を切り替える音切替スイッチ８３が設けられている。
【００３５】
次に、弾球遊技機１の背面に設けられる機構板１００の構成について図３を参照して説明する。図３において、機構板１００は、玉を貯留する貯留タンク１０５と該貯留タンク１０５に貯留された賞球を下流側に整列しながら誘導する玉整列レール部材１０８及びカーブレール部材１１１と、カーブレール部材１１１からの玉を誘導する玉通路１１４と、入賞に基づく賞球を払い出す玉払出装置１１６と、主として遊技盤４０に打ち込まれた入賞玉を含む打玉を処理する処理機構と、が設けられる。玉整列レール部材１０８の下流側上部には、外部との信号線が接続される外部接続端子を有する情報端子基板１３２が設けられる。情報端子基板１３２に設けられる外部接続端子１３３からは、外部（例えば、管理コンピュータ）へ貯留タンク１０５にて玉が不足している旨の玉切れ情報と貸球情報と賞球情報とが出力される。
【００３６】
また、カーブレール部材１１１の下流側には、垂直状に玉通路部材が設けられる。具体的には、左右２列の玉通路１１４から玉通路部材が構成され、該２列の玉通路１１４には、それぞれ玉切れスイッチ１１５が通路に臨むように設けられている。この玉切れスイッチ１１５は、図４に示すように、主基板１５１に接続され、玉切れスイッチ１１５が玉を検出しなくなったときには、玉払出装置１１６の作動を停止して玉の払出を不能動化させるようになっている。玉払出装置１１６は、ほぼ直方体形状をなすケースの内部に収納されて機構板主体１０１の前面側に着脱自在に取り付けられるようになっている。
【００３７】
また、機構板１００の下部後面側には、電圧の異なる複数の電源を生成する電源ユニット基板１３７を収容する電源ユニットボックス１３６と、遊技盤４０に設けられる可変表示器４４や特別可変入賞球装置４８等の遊技装置の動作を制御する主基板１５１を収容する主基板ボックス１５０と、前記玉払出装置１１６の動作を制御する払出制御基板１４４を収容する払出制御基板ボックス１４３が設けられる。電源ユニット基板（電源生成基板）１３７は、ＤＣ３０Ｖ、ＤＣ２１Ｖ、ＤＣ１２Ｖ、ＤＣ５Ｖ、ＡＣ２４Ｖの５種類の電圧を生成し、各制御基板に所定の電源を供給する。
【００３８】
以上、弾球遊技機１の構成、遊技盤４０の構成、及び機構板１００の構成について説明してきたが、次に、配線接続される回路構成について、図４を参照して説明する。主基板１５１には、遊技盤４０に設けられる各玉検出器（スイッチ）５１，５２，５５ａ，５５ｂ，６１，６５ａ，６５ｂ及び始動玉検出器６０、また、満タンスイッチ１２９及び玉切れスイッチ１１５、更に、払い出された賞球を検出する賞球カウントスイッチ１２０からの信号が入力されるものである。
【００３９】
また、主基板１５１は、遊技盤４０に設けられるソレノイド４３，５０，５９を駆動制御すると共に、外部情報端子７８へ遊技情報を出力する。また、主基板１５１は、電飾制御基板８０、効果音制御基板８２、表示制御基板７５、払出制御基板１４４と接続され、制御信号を主基板１５１から各制御基板８０，８２，７５，１４４への一方向通信によりそれぞれ出力する。電飾制御基板８０は、主基板１５１から入力される電飾制御信号に応じて、各種ランプ６〜１０，４７ａ，４７ｂ，５６，６７ａ及び各種ＬＥＤ３７，３８，４５ａ，４５ｂを表示駆動制御し、効果音制御基板８２は、主基板１５１から入力される効果音制御信号に応じてスピーカ１２ａ，１２ｂを駆動制御する。また、表示制御基板７５は、主基板１５１から入力される表示制御信号に応じて特別図柄表示器４４、普通図柄表示器６３の表示結果を導出するように制御する。払出制御基板１４４は、主基板１５１から入力される払出制御信号に応じて玉払出装置１１６を駆動制御すると共に、発射制御基板９０へ発射制御信号を出力する。また、払出制御基板１４４は、カードユニット装置３１、残高表示基板２３と接続され、貸玉払出の制御を行う。発射制御基板９０は、払出制御基板１４４からの発射制御信号に応じて発射装置８７の制御を行う。また、外部情報出力基板１３２は、主基板１５１、払出制御基板１４４と接続され、外部へ遊技情報を出力する。
【００４０】
次に、本実施形態の要部を構成する表示部飾り部材１６０について図５及び図６を参照して説明する。表示部飾り部材１６０は、図５及び図６に示すように、該表示部飾り部材１６０を遊技盤４０の表面に取り付ける取付基板１６２を備え、該取付基板１６２に複数の部品が組み付けられて構成されている。取付基板１６２の裏面上部には、前記普通図柄表示器（２つのＬＥＤ）６３、特別図柄始動記憶ＬＥＤ４６、普通図柄始動記憶ＬＥＤ６４、及び飾りＬＥＤ４５ａ，４５ｂをそれぞれ実装してなるＬＥＤ基板（図示しない）が取り付けられる。一方、取付基板１６２の表面上部には、各種ＬＥＤ６３，４６，４５ａ，４５ｂの光を透光可能に各種ＬＥＤ６３，４６，４５ａ，４５ｂを被覆するレンズ部材１６４〜１６７が取り付けられる。なお、各種ＬＥＤ６３，４６，４５ａ，４５ｂは、それぞれ表示部飾り部材１６０の中心線に対して左右対称位置に設けられる。このため、レンズ部材１６４〜１６７もこれに応じて左右対称のものが２個ずつ設けられる。また、普通図柄始動記憶ＬＥＤ６４の前方には、普通図柄始動記憶ＬＥＤ６４の光を前方に伝達する発光伝達突起（図示しない）が設けられる。
【００４１】
また、表示部飾り部材１６０には、遊技領域４１を落下する打玉を所定位置へ誘導する玉誘導路が設けられている。玉誘導路は、取付基板１６２の上側部分に設けられる左右一対の玉通路１７１，１７２と、取付基板１６２の左右両側部分に設けられる左右一対のワープ通路１７３，１７４と、取付基板１６２の下側部分に設けられる玉転動路１７５、から構成されている。玉通路１７１，１７２は、それぞれ取付基板１６２の上側中央部分に設けられる玉誘導突起部１７６と前記左右のレンズ部材１６６とによって形成されてハの字状の玉通路をなしている。具体的には、玉誘導突起部１７６の左側の傾斜面１７７と左側のレンズ部材１６６の下壁面との間隙が左側に下り傾斜した玉通路１７１を形成し、玉誘導突起部１７６の右側の傾斜面１７８と右側のレンズ部材１６６の下壁面との間隙が右側に下り傾斜した玉通路１７２を形成するようになっている。しかして、玉通路１７１，１７２は、それぞれ遊技領域４１を落下する打玉を上部側の玉入口１７１ａ，１７２ａから受け入れ、これを外側へ誘導した後に各玉出口１７１ｂ，１７２ｂから再び遊技領域４１に排出するようになっている。
【００４２】
なお、玉誘導突起部１７６と左右のレンズ部材１６６からなる玉通路１７１，１７２は、それぞれ玉１個分の通路幅に形成されている。言いかえれば、玉通路１７１，１７２は、同時に複数個の玉を誘導する構成とはなっておらず、逐次玉を１個ずつ誘導するようになっている。また、玉通路１７１，１７２は、その前方部分が外部に露出して設けられており、これによって玉通路１７１，１７２を通過する玉が遊技者から視認可能になっている。但し、玉通路１７１，１７２の側壁をなす玉誘導突起部１７６及びレンズ部材１６６の高さ寸法（円形透視窓５に装着されるガラス板との間隙寸法）は、一旦玉通路１７１，１７２内に入った玉を玉通路１７１，１７２からはみ出させない程度の高さ寸法に設定されている。また、玉通路１７１，１７２の底壁を形成する取付基板１６２の部分は、レンズ部材から形成され、その裏面側には玉通路１７１，１７２を光装飾するＬＥＤ（図示しない）が設けられている。
【００４３】
ワープ通路１７３，１７４は、それぞれ取付基板１６２の左右両側部分に設けられるワープ通路形成部材１８１，１８２によって形成されている。ワープ通路形成部材１８１，１８２は、それぞれ左右対称形状をなし、上部側には、前記玉通路１７１，１７２の各玉出口１７１ｂ，１７２ｂから遊技領域４１に排出された玉、及び玉通路１７１，１７２を通ることなく表示部飾り部材１６０の左右側方を流下する玉を個々に受け入れ得るワープ入口１７３ａ，１７４ａが形成されている。なお、玉出口１７１ｂとワープ入口１７３ａとの間、及び玉出口１７２ｂとワープ入口１７４ａとの間に位置するそれぞれの遊技領域４１には、それぞれ玉の流下方向を換え得る障害釘１８３ａ〜１８３ｅが植立されている（図５参照）。そして、玉出口１７１ｂ，１７２ｂから排出された玉及び表示部飾り部材１６０の左右側方を流下する玉は、障害釘１８３ａ〜１８３ｅへの衝突によって流下方向を換え、これによってワープ入口１７３ａ，１７４ａに導かれたり、あるいはワープ入口１７３ａ，１７４ａから逸れる方向に流れるようになっている。即ち、玉通路１７１，１７２を通過した玉、及び玉通路１７１，１７２を通過することなくワープ入口１７３ａ，１７４ａの側方を流下した玉は、必ずしもワープ入口１７３ａ，１７４ａに入るわけではなく、障害釘１８３ａ〜１８３ｅの調整具合によってワープ入口１７３ａ，１７４ａへの入球率が変化するようになっている。
【００４４】
上記した障害釘１８３ａ〜１８３ｅによる玉の流下方向の変化について図５を参照して説明する。なお、玉出口１７１ｂとワープ入口１７３ａとの間の遊技領域４１に植立される障害釘１８３ａ〜１８３ｅと、玉出口１７２ｂとワープ入口１７４ａとの間の遊技領域４１に植立される障害釘１８３ａ〜１８３ｅとは、個々に左右対称の位置に配置されるものであり、以下の説明では、玉出口１７１ｂとワープ入口１７３ａとの間の遊技領域４１に植立される障害釘１８３ａ〜１８３ｅについてのみ説明を行うものである。具体的に、玉がワープ入口１７３ａに入る場合、玉は、各障害釘１８３ｃ，１８３ｄ間を通過することでワープ入口１７３ａに入る。このため、各障害釘１８３ｃ，１８３ｄ間を広げる方向に障害釘１８３ｃ，１８３ｄを調整すれば玉がワープ入口１７３ａに入り易くなる一方、各障害釘１８３ｃ，１８３ｄ間を狭める方向に障害釘１８３ｃ，１８３ｄを調整すれば玉がワープ入口１７３ａに入り難くなる。また、玉がワープ入口１７３ａから逸れる場合、玉は、各障害釘１８３ｂ，１８３ｃ間を通過することでワープ入口１７３ａから逸れる。このため、各障害釘１８３ｂ，１８３ｃ間を広げる方向に障害釘１８３ｂ，１８３ｃを調整すれば玉がワープ入口１７３ａから逸れ易くなる一方、各障害釘１８３ｂ，１８３ｃ間を狭める方向に障害釘１８３ｂ，１８３ｃを調整すれば玉がワープ入口１７３ａから逸れ難くなる（ワープ入口１７３ａに入り易くなる）。
【００４５】
また、各障害釘１８３ａ，１８３ｃ間は、玉出口１７１ｂから排出された玉の通路となり、各障害釘１８３ａ，１８３ｃ間を通過した玉がそのまま真直ぐ進めば、各障害釘１８３ｂ，１８３ｄ間を通過してワープ入口１７３ａから逸れる。一方、各障害釘１８３ａ，１８３ｃ間を通過した玉が右下方に曲がれば、各障害釘１８３ｃ，１８３ｄ間を通過してワープ入口１７３ａに入る。このため、玉がそのまま真直ぐ進み易いように各障害釘１８３ａ，１８３ｃを調整すれば玉がワープ入口１７３ａから逸れ易くなる一方、玉が右下方に曲がり易いように各障害釘１８３ａ，１８３ｃを調整すれば玉がワープ入口１７３ａに入り易くなる。
【００４６】
また、各障害釘１８３ａ，１８３ｂ間は、表示部飾り部材１６０の左側方から流れ込む玉の通路となり、各障害釘１８３ａ，１８３ｂ間を通過した玉がそのまま真直ぐ進めば、各障害釘１８３ｃ，１８３ｄ間を通過してワープ入口１７３ａに入る。一方、各障害釘１８３ａ，１８３ｂ間を通過した玉が左下方に曲がれば、各障害釘１８３ｂ，１８３ｄ間を通過してワープ入口１７３ａから逸れる。このため、玉がそのまま真直ぐ進み易いように各障害釘１８３ａ，１８３ｂを調整すれば玉がワープ入口１７３ａに入り易くなる一方、玉が左下方に曲がり易いように各障害釘１８３ａ，１８３ｂを調整すれば玉がワープ入口１７３ａから逸れ易くなる。なお、実施形態中では、上記したように玉出口１７１ｂ，１７２ｂ（第１玉通路）とワープ入口１７３ａ，１７４ａ（第２玉通路）との間に障害釘を設けることで第２玉通路への入球率を調整可能にしているが、これに限らず、第１玉通路と第２玉通路との間に風車を設けて第２玉通路への入球率を調整可能にしてもよい。また、第１玉通路と第２玉通路との間に何も設けずに第２玉通路への入球率が調整できないようにしたものであってもよい。
【００４７】
また、ワープ通路形成部材１８１，１８２には、それぞれワープ入口１７３ａ，１７４ａから受け入れた玉を後方に誘導する第一誘導通路１８４，１８５と、該第一誘導通路１８４，１８５の後方（下流）端部と連通して第一誘導通路１８４，１８５を通った玉を下方に誘導する第二誘導通路１８６，１８７と、が形成されている。第二誘導通路１８６，１８７は、図６に示すように、前後方向に蛇行した通路形状をなしており、これによって下方に誘導する玉の流下速度を減速させるようになっている。また、第二誘導通路１８６，１８７の下方（下流）端部には、それぞれワープ出口１７３ｂ，１７４ｂが形成され、該ワープ出口１７３ｂ，１７４ｂから排出された玉は、それぞれ後述する左右の傾斜面１９１，１９２に流れるようになっている。なお、ワープ通路形成部材１８１，１８２の外側部分には、図示しない合成樹脂製のカバー部材を取り付けるための位置決め突起１８８が複数突設されている。
【００４８】
また、上記したワープ入口１７３ａ，１７４ａ、第一誘導通路１８４，１８５、及びワープ出口１７３ｂ，１７４ｂが形成された第二誘導通路１８６，１８７からなるワープ通路１７３，１７４は、それぞれ左右対称の通路形状をなし、同様の玉誘導を行う構造となっている。また、ワープ通路１７３，１７４は、前記玉通路１７１，１７２と同様に、玉１個分の通路幅に形成され、逐次玉を１個ずつ誘導するようになっている。また、ワープ通路１７３，１７４を形成するワープ通路形成部材１８１，１８２は、それぞれ透明合成樹脂からなり、ワープ通路１７３，１７４内を通過する玉を外部から視認可能にしている。但し、ワープ通路１７３，１７４内は、必ずしも視認可能にする必要はなく、視認できないようにしてもいいし、あるいはワープ通路１７３，１７４内の一部分だけを視認可能にしてもよい。
【００４９】
玉転動路１７５は、中央に向かって下り傾斜し、前記ワープ出口１７３ｂ，１７４ｂから排出された玉を個々に表示部飾り部材１６０の中央側に誘導する左右の傾斜面１９１，１９２と、該各傾斜面１９１，１９２の間（表示部飾り部材１６０の下側中央）に設けられて傾斜面１９１，１９２を転動した玉を前方に誘導する誘導口１９３と、を備えている。また、誘導口１９３の前方には、該誘導口１９３よりも広い横幅寸法でステージ面１９４が設けられている。ステージ面１９４は、前方に下り傾斜して形成され、その前端部分が玉を再度遊技領域４１に排出する玉排出口１９５となっている。また、ステージ面１９４上には、該ステージ面１９４上を流下する玉の方向を様々に換えるための障害突起１９６が複数突設されている。しかして、玉転動路１７５は、左右のワープ出口１７３ｂ，１７４ｂから受け入れた玉を傾斜面１９１，１９２を介して表示部飾り部材１６０の中央側に誘導し、これを誘導口１９３を通してステージ面１９４に送り込む。そして、ステージ面１９４上を流下する玉は、複数の障害突起１９６によってその流下方向を様々に換え、ステージ面１９４前端の玉排出口１９５から再度遊技領域４１に排出される。
【００５０】
なお、上記した玉排出口１９５は、表示部飾り部材１６０を遊技盤４０に取り付けた状態で前記普通可変入賞球装置５８の上方位置に配置されるようになっている。これにより、玉排出口１９５から排出された玉は、普通可変入賞球装置５８に入賞し易くなっている。但し、玉排出口１９５は、普通可変入賞球装置５８の入賞口に比べて横幅寸法がかなり広くとられている。従って、ステージ面１９４上での玉流れ（障害突起１９６によって玉の流下方向が換えられる様子）が普通可変入賞球装置５８への入賞の是非を大きく左右し、これによってステージ面１９４上での玉流れにおける興趣を向上するようになっている。また、玉転動路１７５及びその左右両側方の部分は、レンズ部材から形成され、その下面側には玉転動路１７５及びその左右両側方の部分を光装飾するＬＥＤ（図示しない）が設けられている。
【００５１】
しかして、上記した表示部飾り部材１６０は、遊技盤４０のほぼ中央部分に穿設された取付開口（図示しない）を前方から挿通して取り付けられ、その裏面側には、窓枠部１６１に画像表示部４４ａが臨設するように可変表示器４４が取り付けられる。可変表示器４４の取り付けは、遊技盤４０裏面のカバー体７０に表示器取付部材１６９（図３参照）を介して遊技盤４０の裏面に取り付けられる。また、可変表示器４４の後方には、該可変表示器４４の画像表示を制御するための前記表示制御基板７５が取り付けられる。該表示制御基板７５は、表示器取付部材１６９に設けられた図示しない脚部の先端にビス止めされることで可変表示器４４の後方位置に配置され、表示制御基板カバー７４によってその裏面側が被覆される。表示制御基板カバー７４は、その前端部に形成される係合爪（図示しない）が表示器取付部材１６９に形成される図示しない係止部と係合することにより着脱可能に取り付けられる。即ち、可変表示器４４、表示制御基板７５、表示制御基板カバー７４、及び表示器取付部材１６９は、一体的に組み付けた可変表示ユニットとして構成され、該可変表示ユニットが前記カバー体７０の裏面側から取り付けられる。なお、表示制御基板カバー７４は、被覆する表示制御基板７５が外部から視認可能なように透明合成樹脂で形成されている。このため、表示制御基板７５に不正改造が行われた場合でもその不正改造が外部から判別できるので、表示制御基板７５の不正防止を招来することができる。
【００５２】
以上のように、本実施形態の構成によれば、遊技盤４０に形成される遊技領域４１への玉の打ち込みによって遊技を行う弾球遊技機１において、前記遊技領域４１内で玉を所定位置へ誘導する第１玉通路としての玉通路１７１，１７２及び第２玉通路としてのワープ通路１７３，１７４を少なくとも含む複数の玉通路を備え、前記ワープ通路１７３，１７４は、前記玉通路１７１，１７２の玉出口１７１ｂ，１７２ｂから放出される玉と、該玉通路１７１，１７２の玉出口１７１ｂ，１７２ｂ以外の経路から誘導される玉と、が流入可能であることを特徴とする。このように構成することにより、ワープ通路１７３，１７４のワープ入口１７３ａ，１７４ａに誘導される玉の経路を複数通りに設定することができ、ひいては遊技の興趣向上を招来することができる。
【００５３】
また、前記玉通路１７１，１７２から放出される玉は、前記ワープ通路１７３，１７４のワープ入口１７３ａ，１７４ａと、該ワープ通路１７３，１７４のワープ入口１７３ａ，１７４ａ以外となる前記遊技領域４１と、に流入可能であることを特徴とする。このように構成することにより、玉通路１７１，１７２を通過した玉の流下経路を複数通りに設定することができ、ひいては遊技の興趣向上を招来することができる。なお、このように第１玉通路から放出される玉が第２玉通路の玉入口以外となる遊技領域に流入可能な構成において、第１玉通路の玉出口近傍に障害釘を設ける等して、第１玉通路以外の経路からは第２玉通路の玉入口に玉が流入できないようにしてもよい。
【００５４】
また、前記玉通路１７１，１７２及び前記ワープ通路１７３，１７４は、前記遊技盤４０に取り付けられ、前記玉通路１７１，１７２を通過した玉は、一旦前記遊技領域４１内の前記遊技盤４０表面に放出され、その後前記ワープ通路１７３，１７４のワープ入口１７３ａ，１７４ａに流入可能であることを特徴とする。このように構成することにより、玉通路１７１，１７２を通過した玉の流下経路を複数通りに設定することができ、ひいては遊技の興趣向上を招来することができる。なお、このような構成において、第１玉通路の玉出口と第２玉通路の玉入口の間の遊技盤面上に障害釘を設ける等して、第１玉通路から放出される玉が第２玉通路の玉入口以外となる遊技領域に流入できないようにしてもよい。また、この構成においても前記構成と同様に、第１玉通路以外の経路からは第２玉通路の玉入口に玉が流入できないようにしてもよい。また、第１玉通路と第２玉通路をそれぞれ別体の取付基板を介して遊技盤表面に取り付けると共にその間に障害釘を設けることで、第１玉通路を通過した玉を第２玉通路の玉入口に流入可能に構成してもよい。
【００５５】
また、実施形態中では、複数の玉通路を第１玉通路（玉通路１７１，１７２）と第２玉通路（ワープ通路１７３，１７４）のみとしているが、これに限らず、第３玉通路、第４玉通路…等を設け、これらの玉通路の玉出口から誘導される玉を第２玉通路に流入可能な構成としてもよい。また、玉通路の構成としては、玉通路専用の部材で形成してもよい。また、ゲート部材（実施形態の構成でいえば、通過取付基板５３，５７）やサイドレンズ部材（実施形態の構成でいえば、サイド飾り６７）に本発明における第１玉通路や第２玉通路の機能を併合させるようにしてもよい。また、玉通路による玉の誘導方向についても特に限定するものではない。例えば、第１玉通路から第２玉通路への玉の誘導方向として、直線的に玉を誘導してもいいし、屈曲させて玉を誘導してもいい。
【００５６】
また、遊技盤４０に設けられて可変表示を行い、表示結果を導出する可変表示器４４と、該可変表示器４４の表示部としての画像表示部４４ａの外周部分を装飾する装飾部材としての表示部飾り部材１６０と、を備え、少なくとも前記ワープ通路１７３，１７４を前記表示部飾り部材１６０に設けたことを特徴とする。このように構成することにより、遊技者が最も注視する可変表示器４４においてその外周部分でワープ通路１７３，１７４による玉誘導を行う構成にできるので、ワープ通路１７３，１７４での玉の流れを分り易くできる。
【００５７】
また、前記玉通路１７１，１７２を前記表示部飾り部材１６０に設けたことを特徴とする。このように構成することにより、ワープ通路１７３，１７４と同様に、可変表示器４４の外周部分で玉通路１７１，１７２による玉誘導を行う構成にできるので、玉通路１７１，１７２での玉の流れを分り易くできる。また、この構成によれば、表示部飾り部材１６０を取り付けるだけの作業で玉通路１７１，１７２とワープ通路１７３，１７４の取り付けも同時に行える。なお、実施形態中では、可変表示器４４の左右両側にそれぞれ第１玉通路及び第２玉通路を１セットとして設けているが、これに限らず、可変表示器４４の片側にのみ第１玉通路及び第２玉通路を１セット設けるようにしてもよい。また、第１玉通路と第２玉通路を１セットとして考えた場合、必ずしもそれぞれ１個ずつの玉通路で構成する必要はなく、第１玉通路と第２玉通路を個々に複数設け、これを１セットとしてもよい。
【００５８】
また、前記可変表示器４４の表示動作を制御する表示制御基板７５と、前記遊技盤４０の裏面に取り付けられる裏カバー体としてのカバー体７０と、前記表示制御基板７５を被覆する表示制御基板被覆体としての表示制御基板カバー７４と、前記可変表示器４４を取り付けるための表示器取付部材１６９と、を備え、前記可変表示器４４、前記表示制御基板７５、前記表示制御基板カバー７４、及び前記表示器取付部材１６９を一体的に組み付けた可変表示ユニットとして構成し、該可変表示ユニットを前記カバー体７０の裏面側から取り付ける一方、前記表示部飾り部材１６０を前記遊技盤４０の前面側から取り付ける構成としたことを特徴とする。このように構成することにより、可変表示器４４を取り外す場合でも、可変表示器４４、表示器取付部材１６９、表示制御基板カバー７４、及び表示制御基板７５は、可変表示ユニットとして一体的にカバー体７０に取り付けられるので、個々の部品を各々取り付ける構成と比べて組立作業性が向上する。
【００５９】
また、前記表示部飾り部材１６０は、前記可変表示器４４の下部側に設けられて玉を転動させる玉転動部としての玉転動路１７５を備え、前記ワープ通路１７３，１７４は、前記玉転動路１７５に玉を誘導することを特徴とする。このように構成することにより、ワープ通路１７３，１７４によって誘導された玉の流れにおける興趣を向上することができる。
【００６０】
また、前記玉転動路１７５における玉排出部としての玉排出口１９５の下方には、玉の通過検出に基づいて前記可変表示器４４の可変表示を許容する始動玉検出器６０を設けたことを特徴とする。このように構成することにより、玉転動路１７５を転動した玉が始動玉検出器６０に誘導され易くなるので、ワープ通路１７３，１７４によって誘導された玉の流れにおける興趣をより一層向上することができる。
【００６１】
また、発光体としての飾りＬＥＤ４５ａの光を透光するレンズ部材１６６を備え、前記玉通路１７１，１７２を形成する両側壁のうち少なくとも一方の側壁を前記レンズ部材１６６で構成したことを特徴とする。このように構成することにより、玉通路１７１，１７２の近傍を光装飾することができ、ひいては意匠性を向上することができる。
【００６２】
また、前記玉通路１７１，１７２は、遊技者との対向側に通路壁が設けられていないことを特徴とする。このように構成することにより、玉通路１７１，１７２を通過する玉の視認性を向上することができる。
【００６３】
また、前記ワープ通路１７３，１７４には、該ワープ通路１７３，１７４内を通過する玉の速度を減速するための減速手段としての第二誘導通路１８６，１８７（蛇行した通路形状）を設けたことを特徴とする。このように構成することにより、ワープ通路１７３，１７４を通過する玉の勢いを弱めることができ、ひいてはワープ通路１７３，１７４の耐久性が向上できる。但し、減速手段の構成は、蛇行した通路形状に限定するものではない。例えば、玉通路内に障害突起を設け、該障害突起への玉の衝突によって減速するようにしてもよい。
【００６４】
また、前記玉通路１７１，１７２及び前記ワープ通路１７３，１７４は、それぞれ玉１個分の通路幅に形成されていることを特徴とする。このように構成することにより、玉通路１７１，１７２及びワープ通路１７３，１７４内を玉が通過する場合、遊技者の視線をその１つの玉流れに集中させることができる。但し、玉通路の通路幅は、玉１個分の通路幅に限らず、複数個の玉が同時に通過し得る通路幅に形成してもよい。
【００６５】
また、前記玉通路１７１，１７２の玉出口１７１ｂ，１７２ｂと前記ワープ通路１７３，１７４の玉入口としてのワープ入口１７３ａ，１７４ａとの間に位置する前記遊技領域４１に、障害釘１８３ａ〜１８３ｅを設けたことを特徴とする。このように構成することにより、障害釘１８３ａ〜１８３ｅの調整具合に応じて玉通路１７１，１７２の玉出口１７１ｂ，１７２ｂから排出された玉がワープ通路１７３，１７４に流入する割合（ワープ通路１７３，１７４への入球率）を調節することができる。
【００６６】
なお、上記した実施形態では、第１玉通路（玉通路１７１，１７２）と第２玉通路（ワープ通路１７３，１７４）の構成部材を全て取付基板１６２に取り付けることで、第１及び第２の玉通路を表示部飾り部材１６０の一構成としているが、この構成に限定するものではなく、例えば、図７に示す変形例の表示部飾り部材１６０’の構成でもよい。図７は、表示部飾り部材１６０’（取付基板１６２’）と取付基板２００を遊技盤の表面（遊技領域）に取り付けた状態の正面図である。即ち、表示部飾り部材１６０’のように、玉通路１７１，１７２を形成する両側壁のうち一方の側壁のみを表示部飾り部材１６０’の取付基板１６２’（玉誘導突起部１７６の傾斜面１７７，１７８）で形成し、他方の側壁を表示部飾り部材１６０’とは別体の部材（レンズ部材１６６を取り付けた取付基板２００）で形成するようにしてもよい。そして、取付基板１６２’が取付穴２０１を介して遊技盤にビス止めされ、これとは別に、取付基板２００が取付穴２０２を介して遊技盤にビス止めされる。
【００６７】
以上のように、変形例の構成によれば、前記玉通路１７１，１７２を形成する両側壁のうち一方の側壁を前記表示部飾り部材１６０’で形成する一方、他方の側壁を前記表示部飾り部材１６０とは別体の部材（レンズ部材１６６を取り付けた取付基板２００）で形成したことを特徴とする。このように構成することにより、表示部飾り部材１６０を取り換えることなく玉通路１７１，１７２の一側壁を形成する取付基板２００を取り換えるだけで簡単に玉通路１７１，１７２近傍の意匠を変更することができ、ひいては可変表示器４４の画像表示部４４ａの外周部分における意匠にバリエーションを持たせることができる。
【００６８】
また、実施形態中では、第１玉通路（玉通路１７１，１７２）に対して遊技者との対向側に通路壁を設けない一方、第２玉通路（ワープ通路１７３，１７４）に対しては遊技者との対向側に通路壁を設けた構成としているが、特にこの構成に限定するものではなく、図８（Ａ）〜（Ｆ）に示す変形例の構成としてもよい。具体的には、図８（Ａ）に示すように、第１玉通路を構成する左右一対の玉通路３０１，３０２に対しては遊技者との対向側に通路壁を設けない（図８（Ｂ）参照）一方、第２玉通路を構成する左右一対の玉通路３０３，３０４に対しては遊技者との対向側に通路壁を設ける（図８（Ｃ）参照）構成としてもよいし、あるいは図８（Ｄ）に示すように、第１玉通路を構成する左右一対の玉通路４０１，４０２に対しては遊技者との対向側に通路壁を設ける（図８（Ｅ）参照）一方、第２玉通路を構成する左右一対の玉通路４０３，４０４に対しては遊技者との対向側に通路壁を設けない（図８（Ｆ）参照）構成としてもよい。
【００６９】
なお、図８（Ａ）及び図８（Ｄ）は、通路壁の有無を示すための玉通路の概念図である。このため、同図中には、第１玉通路と第２玉通路との間の障害釘を図示することを省略している。また、図８（Ａ）中には、左右一対の玉通路３０１，３０２の玉入口３０５を１つにして途中で左右に枝分かれした通路構成を示しており、このような通路構成を本発明の第１玉通路としてもよい。また、遊技者との対向側に通路壁を設けた構成（玉通路を密閉した構成）において、玉通路の断面形状は、図８（Ｃ）及び図８（Ｅ）に示すような四角形状に限定せず、円形状等いずれの断面形状であってもよい。また、遊技者との対向側に通路壁を設けた構成では、この対向側の通路壁をレンズ部材で形成することで、通路内での玉通過の視認性をより一層向上するようにしてもよい。また、第１玉通路及び第２玉通路は、共にレンズ部材で構成してもいいし、共に遊技者との対向側に通路壁を設けないようにしてもよい。
【００７０】
また、上記した実施形態（変形例を含む）では、可変表示器４４を液晶タイプの表示器で構成しているが、特にこれに限定するものではなく、ＣＲＴ、ＬＥＤ、ＶＦＤ、ＥＬ、あるいはプラズマによる表示器や、ドラム式又はリール式で構成することも可能である。また、弾球遊技機の構成として、始動玉検出器の入賞玉の検出に伴って可変表示装置での識別情報の変動を開始し、該識別情報が所定の表示結果となると特定遊技状態が発生して可変入賞球装置を開放する弾球遊技機（これを俗に第１種という）を例示しているが、特にこれに限定するものではなく、始動玉検出器の入賞玉の検出に伴って可変入賞球装置を開放し、該可変入賞球装置内の特定領域への打玉の入賞により特定遊技状態を発生する弾球遊技機（これを俗に第２種という）や、始動玉検出器の入賞玉の検出に伴って可変表示装置での識別情報の変動を開始し、該識別情報が所定の表示結果となるなどして、特定領域に打玉が入賞すると特定遊技状態（権利発生状態）が発生し、その特定遊技状態中に特定の入賞口に入賞があると、可変入賞球装置を開放する弾球遊技機（これを俗に第３種という）であってもよい。また、遊技領域に打ち込まれる玉は、そのまま遊技機外に排出してもいいし、循環利用して再度その玉を打ち込むようにしてもよい。即ち、弾球遊技機は、玉排出式のものであってもいいし、玉封入式のものであってもよい。
【００７１】
また、以上説明した実施形態から把握できる発明として以下のものがある。
（１）前記第２玉通路は、玉入口から受け入れた玉を一旦後方に誘導した後、下方に誘導して前記玉転動部に排出することを特徴とする。このように構成することにより、第２玉通路から玉転動部に玉を誘導する構成において、玉転動部の後端側に玉を排出することができるので、玉転動部での玉の転動動作を長くすることができ、ひいては視覚的な興趣を向上することができる。
（２）前記第１玉通路の側壁は、玉１個分よりも高い寸法に設定されていることを特徴とする。このように構成することにより、第１玉通路の遊技者との対向側に通路壁を設けない構成においても、第１玉通路によって玉を確実に誘導することができる。
（３）前記第１玉通路は、前記遊技領域の中央寄りから外寄りに玉を誘導することを特徴とする。このように構成することにより、中央に打ち込まれた玉であっても第２玉通路の入口上方へ誘導でき、第２玉通路の入口へより一層玉を集めることができる。
（４）前記第２玉通路は、該第２玉通路内を通過する玉が外部から視認可能な透明な部材で形成されていることを特徴とする。このように構成することにより、第２玉通路によって誘導される玉の流れが視認可能になり、ひいては視覚的な興趣を向上することができる。
【００７２】
【発明の効果】
以上、説明したところから明らかなように、請求項１の発明においては、遊技盤に形成される遊技領域への玉の打ち込みによって遊技を行う弾球遊技機において、前記遊技盤には、可変表示を行った後に表示結果を導出する可変表示器と、該可変表示器の表示部の外周部分を装飾する装飾部材と、玉の通過検出に基づいて前記可変表示器の可変表示を許容する始動玉検出器と、を設け、前記装飾部材には、前記遊技領域内で玉を所定位置へ誘導する第１玉通路及び第２玉通路を少なくとも含む複数の玉通路と、前記可変表示器の下部側に設けられて前記第２玉通路から誘導された玉を転動させた後に玉排出部から前記始動玉検出器に向けて放出する玉転動部と、を備え、前記第１玉通路の玉出口と前記第２玉通路の玉入口との間に位置する前記遊技領域に障害釘を設け、前記第１玉通路から誘導された玉は、一旦前記障害釘を設けた遊技領域内に放出され、その後前記第２玉通路の玉入口に流入し、前記第１玉通路から誘導されずに前記障害釘が設けられた遊技領域へ流入する玉は、前記障害釘により振り分けられて一部が前記第２玉通路の玉入口に流入することを特徴とする。このように構成することにより、第２玉通路の玉入口に誘導される玉の経路を複数通りに設定することができ、ひいては遊技の興趣向上を招来することができる。
【００７３】
また、請求項２の発明においては、遊技盤に形成される遊技領域への玉の打ち込みによって遊技を行う弾球遊技機において、前記遊技盤には、可変表示を行った後に表示結果を導出する可変表示器と、該可変表示器の表示部の外周部分を装飾する装飾部材と、玉の通過検出に基づいて前記可変表示器の可変表示を許容する始動玉検出器と、を設け、前記装飾部材には、前記遊技領域内で玉を所定位置へ誘導する第１玉通路及び第２玉通路を少なくとも含む複数の玉通路と、前記可変表示器の下部側に設けられて前記第２玉通路から誘導された玉を転動させた後に玉排出部から前記始動玉検出器に向けて放出する玉転動部と、を備え、前記第１玉通路の玉出口と前記第２玉通路の玉入口との間に位置する前記遊技領域に障害釘を設け、前記第１玉通路から誘導された玉は、一旦前記障害釘を設けた遊技領域内に放出され、その後前記障害釘に振り分けられた一部が前記第２玉通路の玉入口に流入し、前記障害釘に振り分けられた残りは前記第２玉通路の玉入口以外の遊技領域に放出されることを特徴とする。このように構成することにより、第１玉通路を通過した玉の流下経路を複数通りに設定することができ、ひいては遊技の興趣向上を招来することができる。
【００７４】
また、請求項２の発明においては、前記第１玉通路から誘導された玉は、一旦前記障害釘を設けた遊技領域内に放出され、その後前記障害釘に振り分けられた一部が前記第２玉通路の玉入口に流入することにより、第１玉通路を通過した玉の流下経路を複数通りに設定することができ、ひいては遊技の興趣向上を招来することができる。
【００７５】
また、請求項１，２の発明においては、前記第２玉通路を前記装飾部材に設けたことにより、遊技者が最も注視する可変表示器においてその外周部分で第２玉通路による玉誘導を行う構成にできるので、第２玉通路での玉の流れを分り易くできる。
【００７６】
また、請求項１，２の発明においては、第２玉通路と同様に、可変表示器の外周部分で第１玉通路による玉誘導を行う構成にできるので、第１玉通路での玉の流れを分り易くできる。また、この構成によれば、装飾部材を取り付けるだけの作業で第１玉通路と第２玉通路の取り付けも同時に行える。
【００７７】
【００７８】
また、請求項３の発明においては、前記可変表示器の表示動作を制御する表示制御基板と、前記遊技盤の裏面に取り付けられる裏カバー体と、前記表示制御基板を被覆する表示制御基板被覆体と、前記可変表示器を取り付けるための表示器取付部材と、を備え、前記可変表示器、前記表示制御基板、前記表示制御基板被覆体、及び前記表示器取付部材を一体的に組み付けた可変表示ユニットとして構成し、該可変表示ユニットを前記裏カバー体の裏面側から取り付ける一方、前記装飾部材を前記遊技盤の前面側から取り付ける構成としたことを特徴とする。このように構成することにより、可変表示器を取り外す場合でも、可変表示器、表示器取付部材、表示制御基板被覆体、及び表示制御基板は、可変表示ユニットとして一体的に裏カバー体に取り付けられるので、個々の部品を各々取り付ける構成と比べて組立作業性が向上する。
【００７９】
また、請求項１，２の発明においては、第２玉通路は、玉転動部に玉を誘導するように構成されているので、第２玉通路によって誘導された玉の流れにおける興趣を向上することができる。
【００８０】
また、請求項１，２の発明においては、玉転動部を転動した玉が始動玉検出器に誘導され易くなるので、第２玉通路によって誘導された玉の流れにおける興趣をより一層向上することができる。
【００８１】
また、請求項４の発明においては、発光体の光を透光するレンズ部材を備え、前記第１玉通路を形成する両側壁のうち少なくとも一方の側壁を前記レンズ部材で構成したことを特徴とする。このように構成することにより、第１玉通路の近傍を光装飾することができ、ひいては意匠性を向上することができる。
【００８２】
また、請求項５の発明においては、前記第１玉通路は、遊技者との対向側に通路壁が設けられていないことを特徴とする。このように構成することにより、第１玉通路を通過する玉の視認性を向上することができる。
【００８３】
また、請求項６の発明においては、前記第２玉通路には、該第２玉通路内を通過する玉の速度を減速するための減速手段を設けたことを特徴とする。このように構成することにより、第２玉通路を通過する玉の勢いを弱めることができ、ひいては第２玉通路の耐久性が向上できる。
【００８４】
また、請求項７の発明においては、前記第１玉通路及び前記第２玉通路は、それぞれ玉１個分の通路幅に形成されていることを特徴とする。このように構成することにより、第１及び第２の各玉通路内を玉が通過する場合、遊技者の視線をその１つの玉流れに集中させることができる。
【００８５】
また、請求項１，２の発明においては、前記第１玉通路の玉出口と前記第２玉通路の玉入口との間に位置する前記遊技領域に、障害釘を設けたことにより、障害釘の調整具合に応じて第１玉通路の玉出口から排出された玉が第２玉通路に流入する割合（第２玉通路への入球率）を調節することができる。
【図面の簡単な説明】
【図１】  本実施形態に係る弾球遊技機を示す正面図である。
【図２】  弾球遊技機に設けられる遊技盤を示す正面図である。
【図３】  弾球遊技機を示す背面図である。
【図４】  主基板と各種制御基板及び電気部品との関係を示すブロック図である。
【図５】  遊技盤に取り付けられた可変表示器及び表示部飾り部材を示す正面図である。
【図６】  表示部飾り部材を示す斜視図である。
【図７】  変形例における表示部飾り部材を示す正面図である。
【図８】  同図（Ａ）〜（Ｆ）はそれぞれ変形例における玉通路の構成を示す説明図である。
【符号の説明】
１  弾球遊技機
４０  遊技盤
４１  遊技領域
４４  可変表示器
４４ａ  画像表示部（表示部）
４５ａ  飾りＬＥＤ（発光体）
４６  特別図柄始動記憶ＬＥＤ
６０  始動玉検出器
６３  普通図柄表示器
６４  普通図柄始動記憶ＬＥＤ
７０  カバー体（裏カバー体）
７４  表示制御基板カバー（表示制御基板被覆体）
７５  表示制御基板
１５１  主基板
１６０  表示部飾り部材（装飾部材）
１６２  取付基板
１６６  レンズ部材
１６９  表示器取付部材
１７１，１７２  玉通路（第１玉通路）
１７１ａ，１７２ａ  玉入口
１７１ｂ，１７２ｂ  玉出口
１７３，１７４  ワープ通路（第２玉通路）
１７３ａ，１７４ａ  ワープ入口
１７３ｂ，１７４ｂ  ワープ出口
１７５  玉転動路（玉転動部）
１７６  玉誘導突起部
１７７，１７８  傾斜面
１８１，１８２  ワープ通路形成部材
１８３ａ〜１８３ｅ  障害釘
１８４，１８５  第一誘導通路
１８６，１８７  第二誘導通路（減速手段）
１９４  ステージ面
１９５  玉排出口
１９６  障害突起
２００  取付基板
３０１，３０２，４０１，４０２  玉通路（第１玉通路）
３０３，３０４，４０３，４０４  玉通路（第２玉通路）
【図１】
0004657440.tif 000002
【図２】
0004657440.tif 000003
【図３】
0004657440.tif 000004
【図４】
0004657440.tif 000005
【図５】
0004657440.tif 000006
【図６】
0004657440.tif 000007
【図７】
0004657440.tif 000008
【図８】
0004657440.tif 000009